【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
複製文書を表す複製文書画像を取得する複製文書画像取得手段と、
前記複製文書に対応する原本文書を表す原本文書画像を取得する原本文書画像取得手段と、
前記原本文書画像と前記複製文書画像とに基づき、前記複製文書と前記原本文書との相違する箇所の全部又は一部を表す相違箇所画像を生成する相違箇所画像生成手段と、
前記相違箇所画像に基づく文書を出力する文書出力手段と、
を含むことを特徴とする文書処理装置。
【請求項２】
請求項１に記載の文書処理装置において、
前記文書出力手段は、前記相違箇所画像と前記原本文書画像との合成画像に基づく文書を出力する手段を含む
ことを特徴とする文書処理装置。
【請求項３】
請求項１又は２に記載の文書処理装置において、
前記複製文書は前記原本文書に関する情報が表されたものであり、
前記原本文書画像取得手段は、前記複製文書に表された前記原本文書に関する情報に基づいて、前記原本文書画像を取得する
ことを特徴とする文書処理装置。
【請求項４】
請求項３に記載の文書処理装置において、
前記原本文書に関する情報は、前記原本文書画像の記憶場所を表す情報であり、
前記原本文書画像取得手段は、前記原本文書に関する情報により表される記憶場所に記憶された前記原本文書画像を取得する
ことを特徴とする文書処理装置。
【請求項５】
請求項４に記載の文書処理装置において、
前記原本文書画像は、当該文書処理装置とネットワークを介して接続された記憶手段に記憶されたものである
ことを特徴とする文書処理装置。
【請求項６】
請求項１乃至５のいずれかに記載の文書処理装置において、
前記相違箇所画像生成手段は、前記原本文書画像と前記複製文書画像に対し、差分画像生成処理を含む画像処理を施すことにより、前記相違箇所画像を生成する
ことを特徴とする文書処理装置。
【請求項７】
請求項１乃至６のいずれかに記載の文書処理装置において、
前記原本文書画像に基づき、前記原本文書を出力する原本文書出力手段と、
前記原本文書出力手段による前記原本文書の出力、又は前記文書出力手段による文書の出力を選択的に行わせる選択出力手段と、
をさらに含むことを特徴とする文書処理装置。
【請求項８】
請求項１乃至７のいずれかに記載の文書処理装置において、
前記相違箇所画像における追加箇所と削除箇所とを判断する判断手段をさらに含み、
前記文書出力手段は、前記判断手段による判断結果に基づき、前記相違箇所画像に基づく文書における前記追加箇所と前記削除箇所とを、異なる出力形態により出力する
ことを特徴とする文書処理装置。
【請求項９】
請求項２に記載の文書処理装置において、
前記原本文書画像に合成する場合に、前記相違箇所画像の色情報を前記原本文書画像の色情報に基づいて決定する色情報決定手段をさらに含む
ことを特徴とする文書処理装置。
【請求項１０】
複製文書を表す複製文書画像を取得する複製文書画像取得手段、
前記複製文書に対応する原本文書を表す原本文書画像を取得する原本文書画像取得手段、
前記原本文書画像と前記複製文書画像とに基づき、前記複製文書と前記原本文書との相違する箇所の全部又は一部を表す相違箇所画像を生成する相違箇所画像生成手段、及び
文書出力手段に対して前記相違箇所画像に基づく文書の出力を指示する文書出力指示手段
としてコンピュータを機能させるためのプログラム。
【手続補正２】
【補正対象書類名】明細書
【補正対象項目名】発明の名称
【補正方法】変更
【補正の内容】
【発明の名称】文書処理装置及び文書の出力プログラム
【手続補正３】
【補正対象書類名】明細書
【補正対象項目名】０００１
【補正方法】変更
【補正の内容】
【０００１】
本発明は文書処理装置及びプログラムに関し、特に複製文書画像とそれに対応する原本文書画像を用いた文書処理に関する。
【手続補正４】
【補正対象書類名】明細書
【補正対象項目名】０００６
【補正方法】変更
【補正の内容】
【０００６】
本発明は、上記課題に鑑みてなされたものであって、その目的は、複製文書に追記又は削除といった変更が加えられている場合に、その変更を表す情報をユーザに知らせることができる文書処理装置及び文書の出力プログラムを提供することにある。
【手続補正５】
【補正対象書類名】明細書
【補正対象項目名】０００７
【補正方法】変更
【補正の内容】
【０００７】
上記課題を解決するために、本発明に係る文書処理装置は、複製文書を表す複製文書画像を取得する複製文書画像取得手段と、前記複製文書に対応する原本文書を表す原本文書画像を取得する原本文書画像取得手段と、前記原本文書画像と前記複製文書画像とに基づき、前記複製文書と前記原本文書との相違する箇所の全部又は一部を表す相違箇所画像を生成する相違箇所画像生成手段と、前記相違箇所画像に基づく文書を出力する文書出力手段と、を含むことを特徴とする。
【手続補正６】
【補正対象書類名】明細書
【補正対象項目名】０００８
【補正方法】変更
【補正の内容】
【０００８】
ここで、前記文書出力手段は、前記相違箇所画像と前記原本文書画像との合成画像に基づく文書を出力する手段を含むようにしてもよい。また、相違箇所画像自体を出力する手段を含むようにしてもよい。文書出力手段は、印刷出力、表示出力、音声出力、送信出力等のあらゆる態様により文書を出力してよい。
【手続補正７】
【補正対象書類名】明細書
【補正対象項目名】０００９
【補正方法】変更
【補正の内容】
【０００９】
また、前記複製文書が前記原本文書に関する情報を表すようにしておき、前記原本文書画像取得手段は、前記複製文書に表された前記原本文書に関する情報に基づいて、前記原本文書画像を取得するようにしてもよい。
【手続補正８】
【補正対象書類名】明細書
【補正対象項目名】００１０
【補正方法】変更
【補正の内容】
【００１０】
この場合、前記原本文書に関する情報を、前記原本文書画像の記憶場所を表す情報とし、前記原本文書画像取得手段は、前記原本文書に関する情報により表される記憶場所に記憶された前記原本文書画像を取得するようにしてもよい。また、前記原本文書画像は、当該文書処理装置とネットワークを介して接続された記憶手段に記憶されたものであってよい。また、前記原本文書に関する情報は、前記原本文書画像を当該文書処理装置において生成ないし復元するための情報であってもよい。
【手続補正９】
【補正対象書類名】明細書
【補正対象項目名】００１１
【補正方法】変更
【補正の内容】
【００１１】
また、本発明の一態様では、前記相違箇所画像生成手段は、前記原本文書画像と前記複製文書画像に対し、差分画像生成処理を含む画像処理を施すことにより、前記相違箇所画像を生成してもよい。差分画像生成処理は、例えば両画像の対応画素に関連づけられた色情報の差を算出する処理を含む画像処理である。
【手続補正１０】
【補正対象書類名】明細書
【補正対象項目名】００１２
【補正方法】変更
【補正の内容】
【００１２】
また、前記原本文書画像に基づき、前記原本文書を出力する原本文書出力手段と、前記原本文書出力手段による前記原本文書の出力、又は前記文書出力手段による文書の出力を選択的に行わせる選択出力手段と、をさらに含むようにしてもよい。
【手続補正１１】
【補正対象書類名】明細書
【補正対象項目名】００１３
【補正方法】変更
【補正の内容】
【００１３】
また、前記相違箇所画像における追加箇所と削除箇所とを判断する判断手段をさらに含み、前記文書出力手段は、前記判断手段による判断結果に基づき、前記相違箇所画像に基づく文書における前記追加箇所と前記削除箇所とを、異なる出力形態により出力するようにしてもよい。出力形態は、例えば色、背景、囲み、アンダーライン等である。
【手続補正１２】
【補正対象書類名】明細書
【補正対象項目名】００１４
【補正方法】変更
【補正の内容】
【００１４】
さらに、前記原本文書画像に合成する場合に、前記相違箇所画像の色情報を前記原本文書画像の色情報に基づいて決定する色情報決定手段をさらに含むようにしてもよい。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
また、本発明に係るプログラムは、複製文書を表す複製文書画像を取得する複製文書画像取得手段、前記複製文書に対応する原本文書を表す原本文書画像を取得する原本文書画像取得手段、前記原本文書画像と前記複製文書画像とに基づき、前記複製文書と前記原本文書との相違する箇所の全部又は一部を表す相違箇所画像を生成する相違箇所画像生成手段、及び文書出力手段に対して前記相違箇所画像に基づく文書の出力を指示する文書出力指示手段としてコンピュータを機能させるためのプログラムである。このプログラムは、コンピュータにより読取可能な情報記憶媒体に格納されてよい。